(57)【要約】【課題】  引き出し、あるいは扉部等の家具内でガイド式に移動できる家具部のためのロック可能な押出装置であって、可動家具部をその閉端位置から開位置に移動させるように設計されているバネ式駆動要素（５）を備えており、可動家具部に力を伝達するため、駆動要素は誘導走行路（８）内を移動するようにアレンジされており、誘導走行路（８）はバネ式駆動要素（５）と誘導走行路（８）との協調によって家具部を可動にすべく設計されている少なくとも１つの区部（Ａ、Ａ’）を有している。【選択図】  図１
2009506847.tif 000002
【特許請求の範囲】
【請求項１】
引き出し、あるいは扉部等の家具内でガイド式に移動できる家具部のためのロック可能な押出装置であって、可動家具部をその閉端位置から開位置に移動させるように設計されているバネ式駆動要素を備えており、前記可動家具部に力を伝達するため、前記駆動要素は誘導走行路内を移動するようにアレンジされており、前記誘導走行路（８）は前記バネ式駆動要素（５）と誘導走行路（８）との協調によって前記家具部を可動にすべく設計されている少なくとも１つの区部（Ａ、Ａ’）を有していることを特徴とする押出装置。
【請求項２】
少なくとも１つの区部（Ａ、Ａ’）は可動家具部の移動方向（ＯＲ、ＳＲ）に対して角度を有するように配置されていることを特徴とする請求項１記載の押出装置。
【請求項３】
誘導走行路（８）は可動家具部の移動方向（ＯＲ、ＳＲ）に対して有角状態で走行する複数の区部（Ａ、Ａ’）を有しており、前記第１区部（Ａ）はバネ（４）の圧縮時に駆動要素（５）の停止部として作用し、第２区部（Ａ’）は前記バネ（４）の反発時に前記駆動要素（５）の停止部として作用することを特徴とする請求項１または２記載の押出装置。
【請求項４】
バネ（４）を圧縮させるため、第１区部（Ａ）を可動家具部の移動方向（ＯＲ、ＳＲ）に対して３０°から８０°、又は６０°から６５°に配置されていることを特徴とする請求項１から３のいずれかに記載の押出装置。
【請求項５】
バネ（４）を圧縮させるため、第２区部（Ａ’）を可動家具部の移動方向（ＯＲ、ＳＲ）に対して９０°に配置されていることを特徴とする請求項１から４のいずれかに記載の押出装置。
【請求項６】
誘導走行路（８）は、可動家具部が閉端位置に存在するときに駆動要素（５）を解放可能に捕獲係留させる係留部（１９）を備えたロック区部（Ｂ）を有していることを特徴とする請求項１から５のいずれかに記載の押出装置。
【請求項７】
ロック区部（Ｂ）は可動家具部の移動方向（ＯＲ、ＳＲ）に対して略平行に走行することを特徴とする請求項１から６のいずれかに記載の押出装置。
【請求項８】
ロック区部（Ｂ）は可動家具部の移動方向（ＯＲ、ＳＲ）に対して略垂直に走行することを特徴とする請求項１から６のいずれかに記載の押出装置。
【請求項９】
誘導走行路（８）は誘導溝部として形成されていることを特徴とする請求項１から８のいずれかに記載の押出装置。
【請求項１０】
誘導走行路（８）は該走行路（８）の平面に駆動要素（５）の進入/外出のための入口/出口（１０）を有することを特徴とする請求項１から９のいずれかに記載の押出装置。
【請求項１１】
押出装置（１）は、互方向に直線的に可動である２部材（２、３）を含んでおり、バネ式駆動要素（５）は前記第１部材（３）内に回転式に収容され、前記第２部材（２）内に形成されている好適には溝型の誘導走行路（８）と係合することを特徴とする請求項１から１０のいずれかに記載の押出装置。
【請求項１２】
駆動要素（５）は可動家具部の移動方向（ＯＲ、ＳＲ）に対して４５°以上、好適には９０°回転できるように押出装置（１）の第１部材（３）内に収容されていることを特徴とする請求項１から１１のいずれかに記載の押出装置。
【請求項１３】
駆動要素（５）はレバー体として形成されており、該レバー体には押出装置（１）の第２部材（２）の誘導走行路（８）内に係合するように形成されている係止部（６）が好適には回転式に取り付けられていることを特徴とする請求項１から１２のいずれかに記載の押出装置。
【請求項１４】
駆動要素（５）は押出装置（１）の第１部材（３）に形成された誘導走行路（７）内で係止部（６）を介して誘導されることを特徴とする請求項１から１３のいずれかに記載の押出装置。
【請求項１５】
互い方向に直線的に移動する２部材を有した引き出し、あるいは扉部等の家具内で誘導式に移動できる可動家具部用のロック可能な押出装置であって、前記部材の一方は家具用であり、前記部材の他方は可動家具部用であり、バネ式駆動要素が前記可動家具部を閉端位置から開位置に移動させる請求項１から１４のいずれかに記載の押出装置であって、本押出装置（１）は、本押出装置（１）の前記２部材（２、３）間に作用する結合要素を前記可動家具部の開閉通路の少なくとも一部に有しており、本押出装置（１）の前記２部材（２、３）はそれぞれ前記結合要素のための誘導走行路（７、８）を有していることを特徴とする押出装置。
【請求項１６】
結合要素は押出装置（１）の一方の部材（３）内に４５°以上、好適には９０°で回転できるように収容され、他方の部材（２）内に形成された誘導走行路（８）は該誘導走行路（８）の平面で駆動要素（５）の出入のための出口/入口（１０）を有していることを特徴とする請求項１５記載の押出装置。
【請求項１７】
結合要素は駆動要素（５）によって形成されていることを特徴とする請求項１５または１６記載の押出装置。
【請求項１８】
ロック可能な押出装置（１）が、好適には互い方向に直線的に移動でき、可動家具部の誘導構造体（１４）内に一体的に提供されている２部材（２）を有していることを特徴とする請求項１から１７のいずれかに記載の押出装置を備えた家具。
【請求項１９】
誘導構造体（１４）は、家具本体に固定された少なくとも１本の家具本体レール（１１）と、前記家具本体レール（１１）に沿って可動である引出レール（１２）とを有しており、押出装置（１）の一方の部材（３）は前記家具本体レール（１１）に固定的に接続されており、前記押出装置（１）の他方の部材（２）は前記引出レール（１２）に固定されていることを特徴とする請求項１８記載の家具。
【請求項２０】
引出レール（１２）と結合した、あるいは結合可能な引入装置（２０）を備えていることを特徴とする請求項１８または１９記載の家具。
【請求項２１】
引出レール（１２）と結合した、あるいは結合可能な緩衝装置（１７）を備えていることを特徴とする請求項１８から２０のいずれかに記載の家具。
【発明の詳細な説明】
【技術分野】
【０００１】
本発明は家具内でガイド式に移動できる家具部のためのロック可能な押出装置に関する。特に引き出し及び扉部である可動家具部をその閉端位置から開位置に移動させるように設計されているバネ式駆動要素を備えたロック可能な押出装置に関する。
【背景技術】
【０００２】
このような可動家具部のロック式押出装置の様々な態様は知られている。それら押出装置は、可動家具部をその閉端位置から開位置に移動させるため、バネの反発力を利用する駆動要素を可動家具部に直接的に作用させ、あるいは可動家具部と結合している駆動ドグと係合させるように設計されている。
【０００３】
ロック可能な押出装置は、駆動要素がロック要素を兼ねるように成型され、可動家具部を閉端位置にて固定するように構成されている。この目的で駆動要素は、バネの反発力が作用している状態にある可動家具部の閉端位置にて駆動要素を保持するための係留部を有した誘導走行路内を走行する。
【０００４】
知られたタッチ式ラッチの原理を利用して可動家具部を押出するため、可動家具部はまず閉端位置背後の放出位置にまで閉方向にて押し込まれる。駆動またはロック要素は、係留部を離れてバネの作動方向に走行する駆動セクション内に位置するまで、すなわち可動家具部の係留状態が外されるまで駆動ドグを介して誘導走行路内で移動する。バネの反発力により駆動要素は可動家具部の開方向に移動し、駆動ドグを介して可動家具部を押出する。
【０００５】
従来式のロック式押出装置は可動家具部の単純な開閉を可能にするために大きなスペースを必要とし、誘導走行路に対する駆動ドグの位置の正確な調整をも必要とする。
【発明の開示】
【発明が解決しようとする課題】
【０００６】
従って本発明の１目的は、バネの単純な作動を利用した押出装置であって、バネの反発力作用時に駆動要素を捕獲係留するように構成されている単純設計の押出装置の製造である。
【課題を解決するための手段】
【０００７】
本発明によればこの目的は、バネ式駆動要素と誘導走行路との協調によって家具部を可動にすべく設計されている少なくとも１つの区部を有した誘導走行路の利用によって達成される。この目的の達成のため、本発明の好適実施例によれば少なくとも１区部は可動家具部の移動方向に対して角度を有するように配置されている。
【０００８】
すなわち、その少なくとも１有角区部は駆動要素の停止部として作用し、バネの圧縮時及び/又は反発作用時にバネの圧力受領部として作用する。バネの反発力によって駆動要素は停止部と滑走部とを形成している誘導走行路の区部の側壁に抗して引っ張られる。なぜなら、誘導走行路はこの区部では走行路に対して有角状態で走行するからである。
【０００９】
本発明の押出装置の好適実施例によれば、この誘導走行路は可動家具部の移動方向に対して有角状態で走行する複数の区部を有している。その第１区部はバネの圧縮時に駆動要素の停止部として作用し、第２区部はバネの反発時に駆動要素の停止部として作用する。
【００１０】
このように、誘導走行路内で誘導されて走行するバネ力または流体圧の保存装置等である作用力保存装置によって駆動される駆動要素を備えた押出装置の場合には、誘導走行路の有角区部によって、作用力保存装置へのエネルギー蓄積時及び/又は保存装置からのエネルギー放出時に作動する圧力受領部が形成されているため、可動家具部と結合した別体の駆動ドグを利用する必要性はない。
【００１１】
可動家具部の移動速度が遅いときにも確実にバネを圧縮させるため、本発明の別好適実施例ではバネを圧縮させるために第１区部を可動家具部の移動方向に対して３０°から８０°、好適には６０°から６５°に調整し、第２区部を可動家具部の移動方向に対して約９０°に調整する。
【００１２】
バネの圧縮後における可動家具部の閉端位置での固定係留は、本発明の別実施例によれば、可動家具部が閉端位置に存在するときに駆動要素を解放可能に捕獲係留させる係留部を備えたロック区部を有した誘導走行路により提供される。
【００１３】
この場合、誘導走行路を可動家具部の移動方向に対して平行または垂直に走行させることができるため、可動家具部の開方向で駆動要素を捕獲係留させる係留部のみの調整で構わない。
【００１４】
特に単純構造の本発明の別実施例によれば、誘導走行路は単なる誘導溝部として形成される。押出装置のサイズ、特に長さを短くするため、本発明の好適実施例では押出装置は２つの部材である第１部材と第２部材とを含む。好適にはこれら２部材は互方向に直線的に可動である。バネ式駆動要素は第１部材内に回転式に収容され、第２部材内に形成されている好適には溝型の誘導走行路と係合する。好適には誘導走行路は走行路の平面に駆動要素の進入/外出のための入口/出口を有する。
【００１５】
普通は取手部が存在しない前面をバネの反発作用よって家具本体から飛び出させるよう、可動家具部を家具から大きく離れる方向に確実に移動させるため、本発明の別実施例では駆動要素は可動家具部の移動方向に対して４５°以上、好適には９０°回転できるように押出装置の第１部材内に収容されている。
【００１６】
駆動要素はレバー体として形成されており、レバー体には押出装置の第２部材の誘導走行路内に係合するように係止部が形成されており、好適には回転式に取り付けられていれば、誘導走行路内の駆動要素の確実で安定した誘導が保証される。このように構成された本発明の好適実施例によれば、駆動要素を押出装置の第１部材内に形成された誘導走行路内で係止部を介して追加的に誘導することでさらに安定した押出装置が得られる。
【００１７】
本発明の別実施例によれば、家具内で誘導式に移動できる可動家具部用、特に引き出し用あるいは扉部用に使用され、互い方向に直線的に移動する２部材を有したロック可能な押出装置では、部材の一方は家具用であり、部材の他方は可動家具部用であり、バネ式駆動要素が可動家具部を閉端位置から開位置に移動させるように提供されている。押出装置はそれら２部材間に作用する結合要素を可動家具部の開閉通路の少なくとも一部に有しており、それぞれの部材は結合要素のための誘導走行路を有している。
【００１８】
押出装置の２部材を結合する結合要素のための２つの誘導走行路を形成することで、駆動要素を誘導位置にて正確に誘導する非常に有効な方策が提供される。
【００１９】
本発明の別実施例による結合要素は押出装置の一方の部材内に４５°以上、好適には９０°で回転できるように収容され、他方の部材内に形成された誘導走行路は誘導走行路の平面で駆動要素の出入のための出口/入口を有している。結合要素はその２端部位置間で全通路に沿って安定的に誘導される。本発明の好適実施例ではフレキシブルな突出部が出口直前で誘導走行路内に提供されており、誘導走行路内への進入時に誘導走行路の有角区部に駆動要素を押し込む。特に単純な本発明の実施例では結合要素は駆動要素によって形成されている。
【００２０】
ロック可能な押出装置が、好適には互い方向に直線的に移動でき、誘導構造体内に一体的に提供されている２部材を有しているときに達成されるが、本発明の別実施例による、押出装置の部材も、それら押出装置の部材との係合のための別体ドグも可動家具部に取り付けられてはいない押出装置を備えた家具も可能である。単純な設計によって誘導構造体は、家具本体に固定された少なくとも１本の家具本体レールと、家具本体レールに沿って可動である引出レールとを有している。押出装置の一方の部材は家具本体レールに固定的に接続されており、押出装置の他方の部材は引出レールに固定されている。
【００２１】
すなわち、本発明は家具内で誘導されて移動する可動家具部用に使用され、誘導構造体と一体的に形成されている押出装置を提供する。押出装置の部材のための追加別体駆動ドグの可動家具部または誘導構造体の部材への取り付けは不要である。
【００２２】
移動速度が遅いときにでも可動家具部が閉端位置に確実に移動できるようにするため、本発明の別好適実施例では引出レールと結合した、あるいは結合可能な引入装置が利用される。
【００２３】
一方、好適には家具が引出レールと結合した、あるいは結合可能な緩衝装置を備えていれば、押し込み作動時の可動家具部の急速移動による押出装置の放出は防止される。
【００２４】
本発明のロック可能な押出装置のさらなる詳細と利点は、添付の図面を利用した以下の詳細な解説により提供されている。
【発明を実施するための最良の形態】
【００２５】
図１ａは家具（図示せず）に取り付けられるように形成された誘導構造体１４内に一体的に提供される本発明の押出装置１の第１実施例を図示する。誘導構造体１４は引き出しの引出誘導体として形成されており、家具本体に固定できる家具本体レール１１と、中間レール１３を挟んで家具本体レール１１と対面し、移動できるように収容された引出レール１２とを有している。これは可動家具部に解放可能に取り付けられる。
【００２６】
図示の実施例では押出装置１は相互に直線的に移動する２部材２、３で構成される。第１部材３は家具本体レール１１に固定され、第２部材２は引出レール１２に固定される。
【００２７】
図１ｂは押出装置１が分解された状態である図１ａの実施例を示す。第１部材３内では駆動要素５は第１部材３の平面に対して垂直な軸Ａの周囲で回転するように収容されている。駆動要素５はレバー体として形成されており、回転の中心の反対側でその端部に係止部６を有している。駆動要素５は押出装置１の第１部材３内で固定されたバネ４によって作用を受け、第１部材３の誘導走行路７内で係止部６を介して誘導される。係止部６はスリット状の誘導走行路７内を通過し、第２部材２内に形成された誘導走行路８内でその自由端と係合する。これは誘導されて移動することができる（図４）。
【００２８】
誘導走行路８に加えて、フレキシブルな突出部９が誘導走行路８の入口/出口近辺で押出装置１の第２部材２内に形成されている。
【００２９】
図２ａから図２ｄでは押出装置１の第２部材２が下方から観察される。第２部材２は引出レール１２の収容開口部１５内の接続手段１６を介して引出レール１２に固定されている。さらに図２ａから図２ｄでは駆動要素５の係止部６が可動家具部、すなわち押出装置１の異なる位置にて図示されている。
【００３０】
図２ａでは、駆動要素５の係止部６は係留部１９内で誘導走行路８のロック区部Ｂ内に存在する。すなわち可動家具部は閉端位置である。押出作用を開始するには、可動家具部はまずユーザによって閉方向ＳＲで閉端位置背後の解放位置に移動される。係止部６は誘導走行路８内で移動して係留部１９を離れ、バネ式駆動要素５のロックは外される。
【００３１】
図２ｂでは駆動要素５の係止部６は誘導走行路８の駆動区部である有角区部Ａ’内に存在する。反発するバネ４のおかげで駆動要素５は横方向に回動し、誘導走行路８の有角区部Ａ’の側壁に沿ってスライドすることで可動家具部の開方向ＯＲにて押出装置１の第２部材２を運搬する。可動家具部は図２ａで示す閉端位置から開位置に移動する。
【００３２】
誘導走行路８の第１有角区部Ａ’には、可動家具部の移動方向ＳＲ，ＯＲに実質的平行な区部Ｃが結合しており、有角区部Ａ’の反対側でその端に駆動要素５の係止部６の入口/出口１０を有している。
【００３３】
駆動要素５の係止部６が誘導走行路８の有角区部Ａ’を通過すると、押出作用が終了し、ユーザによって可動家具部が手動でその開端位置へと移動し、駆動要素５の係止部６は誘導走行路８の区部Ｃで移動する（図２ｃ）。
【００３４】
可動家具部が押し込まれると、係止部６はフレキシブルな突出部９によって押圧され、区部Ｃの端に形成された入口１０を誘導走行路８の第１有角区部Ａへ閉鎖させる。この目的で、フレキシブルな突出部９はその自由端で楔形に形成されている。可動家具部が家具本体内へとさらに移動するとき（図２ｄ）、係止部６は有角区部Ａの側壁に沿ってスライドし、押出装置１のバネ４が圧縮される。バネ４の代わりに流体圧保存装置等の作用力保存装置を利用してもよい。
【００３５】
係止部６が誘導走行路８の有角区部Ａを通過すると、バネ４が圧縮するか、または作用力保存装置にエネルギーが蓄積される。係止部６はその後、係留部１９と係合するまで誘導走行路８のロック区部Ｂを通過し、バネ式駆動要素５がロックされる。
【００３６】
図示の実施例では、後に詳説する誘導構造体１４に緩衝自動引入システムが提供されている。このためロック区部Ｂは係留部１９の前方に可動家具部の移動方向ＳＲ，ＯＲに実質的平行な区部を有しており、バネ４が有角区部Ａの端部で圧縮された後、緩衝引入装置によってバネ４が圧縮されたときに可動家具部はその閉端位置へと移動する。このような設計の効果は、１つはユーザが可動家具部を少し加速しただけでも可動家具部がその閉端位置へ移動することであり、もう１つはユーザが可動家具部を加速し過ぎた場合でも、可動家具部が家具本体に衝突することを防止でき、押出装置が緩衝引入装置によって急に放出されること防止することである。
【００３７】
図３ａから図３ｊは、可動家具部（図示せず）の開閉移動時における誘導構造体１４内で一体的に提供された押出装置１の異なる位置を示している。押出装置１は図１ａと図１ｂに示す実施例に対応する。
【００３８】
図３ａでは、可動家具部はその閉端位置にある。すなわちバネ４が作用する駆動要素５の係止部６は誘導走行路８のロック区部Ｂの係留部１９に存在しているため、押出装置１はロックされている。バネ式駆動要素５は第１部材３内に回転式に収容され、第１部材３の誘導走行路７内で回動状態に誘導される。誘導走行路７を下から通過する係止部６は押出装置１の第２部材２の誘導走行路８内でその自由端と係合し、押出装置１の第１部材３は誘導構造体１４の家具本体レール１１へ固定的に接続されており、押出装置１の第２部材２は誘導構造体１４の引出レール１２に固定されている。
【００３９】
家具本体レール１１には、結合レール１１に対して移動できる引出レール１２と結合要素２１を介して係合する引入装置２０も取り付けられている。家具本体レール１１には、引出レール１２に装着された停止部１８と協調する流体圧吸収装置の形態の緩衝装置１７も取り付けられている。
【００４０】
可動家具部を開けるか、または駆動要素５のロックを解除するため、第１ステップ（図３ｂ）で、可動家具部はユーザによって閉端位置背後の解除位置に閉方向ＳＲで移動される。可動家具部と共に引出レール１２と、押出装置１の引出レール１２に接続された第２部材２もまた閉方向ＳＲに移動され、第１部材３内に回転式に収容された駆動要素５は誘導走行路８のロック区部Ｂの係留部１９を離れ、駆動要素５のロックが外されて押出作用が開始される。
【００４１】
バネ４の作用によって、押出装置１の第１部材３の誘導走行路７内で誘導される駆動要素５は右方向へ回動し（図３ｃ）、駆動区部とも呼ばれる誘導走行路８の有角区部Ａ’の側壁に沿ってスライドし、押出装置１の第２部材と引出レール１２とが可動家具部の開方向ＯＲに移動する。同様に引出レール１２に取り付けられた停止部１８が開方向ＯＲに移動し、緩衝装置１７は緩む。
【００４２】
図３ｄで示すように、駆動要素５は有角区部Ａ’の端部に存在し、バネ４は完全に弛緩状態である。すなわち押出作用が終了し、可動家具部は開位置に存在している。緩衝装置１７の弛緩作用は開方向ＯＲに移動する引出レール１２によってさらに継続される。引出レール１２は作用力保存装置にエネルギーを蓄積するため、結合要素２１を介して引入装置２０とさらに係合する。引入装置２０の作用力保存装置がバネまたは流体圧保存装置によって提供されているか否かは重要ではない。
【００４３】
引出レール１２が可動家具部を介してさらに開方向ＯＲに移動すると（図３ｅ）、移動方向ＯＲ、ＳＲに平行な誘導走行路８の区部Ｃが、係止部６が誘導走行路８を離れるまで駆動要素５の係止部６を介して誘導されて外側へ移動する。誘導走行路８の直前に提供されるか、または誘導走行路８の出口１０領域に提供され、上方から誘導走行路８内に突入しているフレキシブルな突出部９は駆動要素５が誘導走行路８を離れるまで係止部６によって上方へ押される（図３ｆ）。ここで引入装置２０は完全にエネルギー蓄積され、緩衝装置１７はエネルギー放出される。
【００４４】
可動家具部が開位置に到達した後にユーザによって再度押し込まれると、引出レール１２と押出装置１の第２部材２とが可動家具部の閉方向ＳＲに移動する（図３ｇ）。押出装置１の第１部材３内にアレンジされた駆動要素５を越えると、押出装置１の第２部材２内にアレンジされた誘導走行路８の入口/出口へと突入する楔形のフレキシブルな突出部９は駆動要素５の係止部６を誘導走行路８の有角区部Ａへと移動させる（図３ｈ）。
【００４５】
誘導走行路８の有角区部Ａによって、押出装置の第１部材３の誘導走行路７内に誘導される駆動要素５は左に回動し、係止部６と誘導走行路８の有角区部Ａとの相互作用によって駆動要素５に作用するバネ４は圧縮される。
【００４６】
図３ｉに示す位置でバネ４の圧縮は終了し、駆動要素の係止部６は有角区部Ａの端部に位置される。同時に引入装置２０が結合要素２１を介して引出レール１２と係合し、引出レール１２と可動家具部とは引入装置２０によってその閉端位置へと移動する。その閉移動は緩衝装置１７によって緩衝される。この引入時に、駆動要素５の係止部６は、係留部１９内に位置するまで可動家具部の移動方向ＯＲ、ＳＲに対して実質的平行な誘導走行路８のロック区部Ｂの１区部に沿って移動し、駆動要素５は再びロックされる。
【００４７】
本発明による押出装置１の別実施例を図５ａから図５ｄに示す。第１実施例とは異なり、図５ａから図５ｄに示す実施例の誘導構造体１４は引入装置と緩衝装置を有していない。引入装置が存在しないため誘導走行路８の有角区部Ａは、誘導走行路８のロック区部Ｂの係留部１９にまで延びている。前述の実施例とは逆に本実施例ではロック区部Ｂは、駆動区部とも呼ばれる誘導走行路の有角区部Ａ’と実質的に同じ方向に走行する。
【００４８】
それ以外では、本実施例は図１から図４の実施例と同じ作動原理で作動するため、説明は省略する。
【００４９】
家具内でガイド式に移動できる家具部のためのロック可能な押出装置に関する前述の実施例は本発明を限定するものではない。
【図面の簡単な説明】
【００５０】
【図１】図１ａは誘導構造体内に一体的に提供された本発明の押出装置の第１実施例である。図１ｂは図１ａの押出装置の分解図を示す実施例である。
【図２】図２ａから図２ｄは可動家具部の開閉移動時における駆動装置の誘導走行路内での異なる位置を示す概略図である。
【図３】図３ａから図３ｊは第１実施例による可動家具部の開閉移動時における本発明の押出装置の作動原理を図示する。
【図４】図４は図３の押出装置の下側を示す斜視図である。
【図５】図５ａから図５ｄは別実施例による可動家具部の開閉移動時の本発明の押出装置の作動原理を図示する。
【図１ａ】
2009506847.tif 000003
【図１ｂ】
2009506847.tif 000004
【図２ａ】
2009506847.tif 000005
【図２ｂ】
2009506847.tif 000006
【図２ｃ】
2009506847.tif 000007
【図２ｄ】
2009506847.tif 000008
【図３ａ】
2009506847.tif 000009
【図３ｂ】
2009506847.tif 000010
【図３ｃ】
2009506847.tif 000011
【図３ｄ】
2009506847.tif 000012
【図３ｅ】
2009506847.tif 000013
【図３ｆ】
2009506847.tif 000014
【図３ｇ】
2009506847.tif 000015
【図３ｈ】
2009506847.tif 000016
【図３ｉ】
2009506847.tif 000017
【図３ｊ】
2009506847.tif 000018
【図４】
2009506847.tif 000019
【図５ａ】
2009506847.tif 000020
【図５ｂ】
2009506847.tif 000021
【図５ｃ】
2009506847.tif 000022
【図５ｄ】
2009506847.tif 000023
【国際調査報告】
2009506847.tif 000024
2009506847.tif 000025
2009506847.tif 000026
2009506847.tif 000027
2009506847.tif 000028
2009506847.tif 000029